(57)【要約】  本発明の多機能乳腺経絡周波数スペクトルメーターは、内側ブラおよび外側ブラの２層のブラが連接してなる全乳ブラと、当該内側ブラと当該外側ブラとの間に挿入された電気ヒーターと、内側ブラと電気ヒーターとの間に設けられ、コイルが巻かれた永久磁石とを備える多機能乳腺経絡周波数スペクトルメーターであって、導電性を有するゴムにより形成された磁気電極が当該内側ブラの上に均等に埋め込まれており、電気パルススペクトル発生器が、それぞれ前記電気ヒーター、前記永久磁石、および前記磁気電極に接続されている。また、前記内側ブラと前記外側ブラとの間であって、前記全乳ブラの先端の中心位置において、電気振動器を備えている。また、前記電気振動器の下方に通気管および出線穴が設けられている。また、前記全乳ブラの先端の中心に開口部が設けられ、前記開口部の前に吸乳管が設けられ、前記電気振動器が前記吸乳管の先端に設置されており、前記吸乳管の下方における蓄乳瓶が前記吸乳管に通じている。また、前記吸乳管の先端には、内側へ突起した乳首フィックスチャが環状に設けられている。また、ブラの両側は円弧の形のようにそびえている。  本発明の多機能乳腺経絡周波数スペクトルメーターは、乳房のツボを鍼灸するように、特定の周波数で電気パルスを送り、特定の温度で乳房に熱を与え、振動して乳房をマッサージまたは真空で吸引する。これにより、乳腺炎と乳首がくぼむことと小葉増生症などを予防または治療することができる。本発明の多機能乳腺経絡周波数スペクトルメーターを継続的に使用すれば、哺乳期の産婦の乳房が垂れたり、萎縮したりするのを防止することが可能である。すなわち、本発明の多機能乳腺経絡周波数スペクトルメーターは、乳腺の疎通、乳汁の増加、乳房の保健または乳房の豊満化という効果を有する理想的な保健器具である。
2007501642.tif 000002
【特許請求の範囲】
【請求項１】
内側ブラおよび外側ブラの２層のブラが連接してなる全乳ブラと、
当該内側ブラと当該外側ブラとの間に挿入された電気ヒーターと、
当該内側ブラと当該電気ヒーターとの間に設けられ、コイルが巻かれた永久磁石とを備える多機能乳腺経絡周波数スペクトルメーターであって、
導電性を有するゴムにより形成された磁気電極が当該内側ブラの上に均等に埋め込まれており、
電気パルススペクトル発生器が、それぞれ前記電気ヒーター、前記永久磁石、および前記磁気電極に接続されることを特徴とする多機能乳腺経絡周波数スペクトルメーター。
【請求項２】
前記内側ブラと前記外側ブラとの間であって、前記全乳ブラの先端の中心位置において、電気振動器を備えることを特徴とする請求項１に記載の多機能乳腺経絡周波数スペクトルメーター。
【請求項３】
前記電気振動器の下方に通気管および出線穴が設けられていることを特徴とする請求項２に記載の多機能乳腺経絡周波数スペクトルメーター。
【請求項４】
前記全乳ブラの先端の中心に開口部が設けられ、
前記開口部の前に吸乳管が設けられ、
前記電気振動器が前記吸乳管の先端に設置されており、
前記吸乳管の下方における蓄乳瓶が前記吸乳管に通じていることを特徴とする請求項１に記載の多機能乳腺経絡周波数スペクトルメーター。
【請求項５】
前記吸乳管の先端には、内側へ突起した乳首フィックスチャが環状に設けられていることを特徴とする請求項４に記載の多機能乳腺経絡周波数スペクトルメーター。
【請求項６】
ブラの両側は円弧の形のようにそびえることを特徴とする請求項１〜５のいずれか１項に記載の多機能乳腺経絡周波数スペクトルメーター。
【発明の詳細な説明】
【発明の詳細な説明】
【０００１】
〔技術領域〕
本発明は、医療、生活保健用品である多機能乳腺経絡周波数スペクトルメーターに関するものである。
【０００２】
〔背景技術〕
哺乳期の産婦は、乳汁が乳房に蓄積する病症または乳汁が不足する病症が生じる。また、哺乳が終了した産婦は、乳房の垂れ、乳房の萎縮、乳房の大きさの不均一、小葉増生症などの問題が生じる。そのため、乳房の状態を回復させるための保健器具が必要とされている。現在、種々の乳房のための保険器具があるが、全て負圧サイホンの原理により不必要な乳汁を吸引し、乳腺管を疎通させることにより乳腺炎を防止している。しかし、上記保険器具は、すでに乳汁が乳房に蓄積している患者または乳腺炎および小葉増生症の患者にとっては効果がほとんど無い。さらに、哺乳期の産婦が有する、乳房の垂れや乳房の大きさの不均一などの状況を改善することはできない。
【０００３】
特許番号０１２５５０４０Ｘには、乳房に熱を与えるとともに、振動して乳房をマッサージする多機能乳腺経絡周波数スペクトルメーターの構成が記載されている。これにより、乳房の径脈を疎通し、血気を調合する効果があるため、長期に使用することにより乳房を豊満にすることが可能である。
【０００４】
しかしながら、上記従来の構成では、人工的に操作する必要があるため、容易に使用することができない。また、乳房のツボをマッサージするという効果が高くない。しかし、従来、継続的に特定の周波数の電気パルスにより、乳房のツボを鍼灸するように、乳房の治療することは困難であった。そのため、乳腺経絡周波数スペクトルメーターによる治療が期待されていた。
【０００５】
〔発明内容〕
本発明の目的は、鍼灸するように特定の周波数により電気パルスを乳房に与えることで、乳房に対する保健と治療の効果を実現することができる多機能乳腺経絡周波数スペクトルメーターを提供することである。
【０００６】
本発明の多機能乳腺経絡周波数スペクトルメーターは、内側ブラおよび外側ブラの２層のブラが連接してなる全乳ブラと、当該内側ブラと当該外側ブラとの間に挿入された電気ヒーターと、内側ブラと電気ヒーターとの間に設けられ、コイルが巻かれた永久磁石とを備える多機能乳腺経絡周波数スペクトルメーターであって、導電性を有するゴムにより形成された磁気電極が当該内側ブラの上に均等に埋め込まれており、電気パルススペクトル発生器が、それぞれ前記電気ヒーター、前記永久磁石、および前記磁気電極に接続されている。また、前記内側ブラと前記外側ブラとの間であって、前記全乳ブラの先端の中心位置において、電気振動器を備えている。また、前記電気振動器の下方に通気管および出線穴が設けられている。また、前記全乳ブラの先端の中心に開口部が設けられ、前記開口部の前に吸乳管が設けられ、前記電気振動器が前記吸乳管の先端に設置されており、前記吸乳管の下方における蓄乳瓶が前記吸乳管に通じている。また、前記吸乳管の先端には、内側へ突起した乳首フィックスチャが環状に設けられている。また、ブラの両側は円弧の形のようにそびえている。
【０００７】
本発明の多機能乳腺経絡周波数スペクトルメーターは、従来と比較して、乳房のツボを鍼灸するように特定の周波数により電気パルスを乳房に与える。特定の温度で乳房に熱を与え、振動して乳房をマッサージしまたは真空で吸引する。これにより、乳腺炎と乳首がくぼむことと小葉増生症などを防止または治療することができる。本発明の多機能乳腺経絡周波数スペクトルメーターを継続的に使用すれば、哺乳期の産婦の乳房が垂れたり、萎縮したりするのを防止することが可能である。すなわち、本発明の多機能乳腺経絡周波数スペクトルメーターは、乳腺の疎通、乳汁の増加、乳房の保健または乳房の豊満化という効果を有する理想的な保健器具である。
【０００８】
〔具体的な実施形態〕
〔実施例１〕
図１に示すように、本実施形態の多機能乳腺経絡周波数スペクトルメーターは、内側ブラ１および外側ブラ２を互いに連接してなるラッパ状の全乳ブラを備える。ブラの両側は円弧の形のようにそびえている。内側ブラ１および外側ブラ２の間には、恒温電気回路によって制御される電気ヒーター５が設けられている。電気ヒーター５は、電熱線、電熱膜またはＰＣＩ陶磁器発熱体が用いられる。また、内側ブラ１および電気ヒーター５の間には、永久磁石４が設けられている。永久磁石４は、電磁効果を増強するために、コイルが巻かれている。内側ブラ１の上に導電性を有するゴムの磁気電極３を均一にはめこむ。この磁気電極３の一部分は内側ブラ１と外側ブラ２との間にはめこむとともに、残りの部分は内側ブラ１の外壁に露出する。電気振動器８は、内側ブラ１および外側ブラ２の間であって、ブラの先端の中心位置に設けられている。電気振動器８の下方に設けられた通気管９は、吸気管を介して制御器ケース１２内の真空パンプを連接する。磁気電極３、永久磁石体４、電気ヒーター５、電気振動器８の導線はブラ壁の出線穴から出てから、制御器ケース１２に設けられた電気パルススペクトル発生器に接続される。
【０００９】
本実施形態の多機能乳腺経絡周波数スペクトルメーターを使用する際には、電源をかけてから、制御回路によって出力電圧を６Ｖ、１２Ｖ、２４Ｖまたは３２Ｖにする。乳房のツボに鍼灸するように、電気パルス、固定温度熱性治療、振動マッサージ、磁性治療、真空負圧サイホンなどの治療を行う。本発明の多機能乳腺経絡周波数スペクトルメーターを継続的に使用すれば、哺乳期の産婦の乳房が垂れたり、萎縮したりするのを防止することが可能である。すなわち、本発明の多機能乳腺経絡周波数スペクトルメーターは、乳腺の疎通、乳汁の増加、乳房の保健または乳房の豊満化という効果を有する理想的な保健器具である。
【００１０】
〔実施例２〕
図２に示すように、本実施形態の多機能乳腺経絡周波数スペクトルメーターは、ブラの先端の中心に開口部があり、吸乳管７は内側ブラ１および外側ブラ２と連接されている。吸乳管７の先端には、内側へ突起した乳首フィックスチャ６が環状に設けられている。吸乳管７の下端は、ねじ山を通して蓄乳瓶１１と連接し、吸乳管７の出乳穴はこの蓄乳瓶１１を通じる。電気振動器８は、吸乳管７の先端に設けられている。吸乳管７の下端のジョイント側における通気管９は、吸気管を介して制御器ケース１２内の真空パンプと連接され、真空負圧サイホン、および電気振動器８によるマッサージにより、くぼんだ乳首を聳えさせる。そして、乳腺管を疎通させ、乳房に蓄積した乳汁を吸乳管７の上部に設けられた出乳穴を通して蓄乳瓶１１に流れ込ませる。電源をかける同時に乳房のツボに鍼灸するように電気パルス、固定温度熱性治療、振動マッサージ、磁性治療、真空負圧サイホンなどの治療を進める。他は実施例１と同一の構成である。本実施形態の多機能乳腺経絡周波数スペクトルメーターを継続的に使用すれば、哺乳期の産婦の乳房が垂れたり、萎縮したりするのを防止することが可能である。すなわち、本発明の多機能乳腺経絡周波数スペクトルメーターは、乳腺の疎通、乳汁の増加、乳房の保健または乳房の豊満化という効果を有する理想的な保健器具である。
【図面の簡単な説明】
【００１１】
【図１】本発明の多機能乳腺経絡周波数スペクトルメーターの一例を示す断面図である。
【図２】本発明の多機能乳腺経絡周波数スペクトルメーターの他の一例を示す断面図である。
【図１】
2007501642.tif 000003
【図２】
2007501642.tif 000004
【国際調査報告】
2007501642.tif 000005
2007501642.tif 000006
2007501642.tif 000007
2007501642.tif 000008